(57)【特許請求の範囲】
【請求項１】
竿体の竿尻端開口部に尻栓を螺着している釣り竿であって、
尻栓に設けた尻栓側ネジ部と竿尻端部に設けた竿体側ネジ部とを互いに螺合可能に構成するとともに、前記尻栓側ネジ部と竿体側ネジ部との少なくとも一方のネジ部で、その一方のネジ部の一部に、他のネジ部分に比較して摩擦抵抗力の大きなネジ部分を設けるべく、前記竿体の竿尻端部の肉厚内に摩擦抵抗力の大きな弾性シート材を介在させるとともに、前記弾性シート材を介在させた肉厚部分に尻栓取付用のネジ部を刻設しそのネジ部の歯底部分が前記弾性シート材に達し、前記弾性シート材にネジ部の一部分が形成してある釣り竿。
【請求項２】
マンドレルに複数枚のプリプレグシートを巻回して竿体を形成する釣り竿の製造方法であって、複数枚のプリプレグシート同士の間に摩擦抵抗力の大きな弾性シート材を介在させた状態で前記マンドレルに巻回するとともに、巻回して形成した竿体の竿尻端部の内周面に、ネジ部の歯底が前記弾性シート材に達するように尻栓取付用のネジ部を刻設して前記弾性シート材にネジ部の一部分を形成する釣り竿の製造方法。
【発明の詳細な説明】
【技術分野】
【０００１】
本発明は、竿体の竿尻端開口部に尻栓を螺着している釣り竿及びその製造方法に関する。
【背景技術】
【０００２】
尻栓を元竿等の竿体に取り付けるには、元竿の竿尻端部に竿体側ネジ部を形成するとともに、尻栓の本体取付部に尻栓側ネジ部を形成して、尻栓をネジ止め固定している（特許文献１参照）。
【０００３】
【特許文献１】特開２０００−２７９０６２号公報（段落番号〔００１０〕、〔００１１〕、及び、図１、５）
【発明の開示】
【発明が解決しようとする課題】
【０００４】
上記構成の場合には、プリプレグを巻回して形成されている竿体の竿尻端部に形成した竿体側ネジ部に、金属製又合成樹脂製の尻栓に形成した尻栓側ネジ部を直接螺合させて尻栓を取り付けているだけであるので、長期に亘る使用によって、尻栓が緩みを生ずることがあった。
また、竿体の竿尻端面と尻栓の摘まみ部のフランジ面との間にＯリングを介在させて、Ｏリングの弾性変形力を利用して尻栓の緩み止めを行うものもあった。しかし、長年の使用によってＯリングに傷みを生じたり、紛失したりすることがあり、改善の余地があった。
【０００５】
本発明の目的は、竿体の竿尻端部に形成する竿体側ネジ部、或いは、尻栓側に形成する尻栓側ネジ部とに、簡単な改造を施すことによって、長期に亘る使用であっても、外れにくい尻栓を提供する点にある。
【課題を解決するための手段】
【０００６】
〔構成〕
請求項１に係る発明の特徴構成は、竿体の竿尻端開口部に尻栓を螺着している釣り竿であって、
尻栓に設けた尻栓側ネジ部と竿尻端部に設けた竿体側ネジ部とを互いに螺合可能に構成するとともに、前記尻栓側ネジ部と竿体側ネジ部との少なくとも一方のネジ部で、その一方のネジ部の一部に、他のネジ部分に比較して摩擦抵抗力の大きなネジ部分を設けるべく、前記竿体の竿尻端部の肉厚内に摩擦抵抗力の大きな弾性シート材を介在させるとともに、前記弾性シート材を介在させた肉厚部分に尻栓取付用のネジ部を刻設しそのネジ部の歯底部分が前記弾性シート材に達し、前記弾性シート材にネジ部の一部分が形成してある点にあり、その作用効果は次の通りである。
【０００７】
〔作用〕
摩擦抵抗力の大きなネジ部分を設けてあるので、尻栓に摩擦抵抗力が作用し、ネジの緩みが抑止される。
しかも、摩擦抵抗力の大きなネジ部分は一方のネジ部の一部であるので、尻栓を螺合して保持するネジ部の基本的な部分は従来通り元竿等の竿尻端部に形成されたネジ部分が担うこととなるので、尻栓を保持する機能としては低下してはいない。
さらに、ネジ部の全てを摩擦抵抗力の高い材料で構成すると、尻栓の着脱時に高い摩擦抵抗力のために着脱操作がやり難くなるという欠点があるが、本発明の場合には、摩擦抵抗力の高い部分が一部に抑えられているので、着脱操作性の低下も抑えられている。
【０００８】
〔効果〕
その結果、緩み難いわりには、着脱時の操作性を損なうことなく、かつ、尻栓の取り付け構造の強度低下を招くことのない、紛失しにくい尻栓取付構造を提供することができた。
【００１２】
請求項１においては、次のような作用効果も奏する。つまり、ネジの一部に摩擦抵抗力の高い部材を配置する構成として、竿体の竿尻端部の肉厚内に摩擦抵抗力の大きな弾性シート材を配置することとした。これによって、刃きり工具を使用して竿体の竿尻端部にネジ部を形成していく過程で、刃きり工具の刃先が肉厚内に位置する弾性シート材まで達して、弾性シート材にネジの一部を切り込むこととなる。
したがって、竿体の竿尻端部に形成されるネジ部はその竿尻端部と弾性シート材とに亘って形成されることとなる。
これによって、尻栓と螺合して保持するネジ部分は、竿尻端部に形成されたネジ部分がその機能を担うこととなり、尻栓に対して摩擦保持力を与える部分は、弾性シート材に形成されたネジ部分が担うこととなる。
しかも、弾性シート材は竿尻端部の肉厚内に位置するので、弾性シート材が直接他物と接触する機会は少なく、弾性シート材自体が損傷することも少ない。
【００１３】
〔構成〕
請求項２に係る発明の特徴構成は、マンドレルに複数枚のプリプレグシートを巻回して竿体を形成する釣り竿の製造方法であって、複数枚のプリプレグシート同士の間に摩擦抵抗力の大きな弾性シート材を介在させた状態で前記マンドレルに巻回するとともに、巻回して形成した竿体の竿尻端部の内周面に、ネジ部の歯底が前記弾性シート材に達するように尻栓取付用のネジ部を刻設して前記弾性シート材にネジ部の一部分を形成する点にあり、その作用効果は次の通りである。
【００１４】
〔作用効果〕
請求項１で記載したように、摩擦抵抗力の大きな弾性シート材を竿尻端部内に設けてネジの一部を弾性シート材に担わせる構成による作用効果を奏することに加えて、次のような製作上の効果も発揮するものである。
つまり、プリプレグを巻回して竿体を形成する過程で弾性シート材を巻回することができるので、弾性シート材を竿尻端部の肉厚内に装着するのに、竿体を形成する方向を崩す必要がなく、その形成過程に組み込むことができるので、製作上も難点がない。
【発明を実施するための最良の形態】
【００１５】
〔第１実施形態〕
図１に示すように、竿体としての元竿１の竿尻端部１Ａに、装着物としての尻栓３を螺着して釣り竿Ａを構成する。
元竿１等の竿体の製作方法を説明する。図２に示すように、マンドレル４に対して複数層のプリプレグ５を巻回して竿素材を構成する。複数層のプリプレグ５は、３層構造になっており、内側層のプリプレグ５Ａと外側層のプリプレグ５Ｃを、円周方向に沿って引き揃え配置された強化繊維ａ群に対して熱硬化性樹脂を含浸させて形成する。中間層のプリプレグ５Ｂを、竿の軸線方向に沿って引き揃え配置された強化繊維ａ群に対して熱硬化性樹脂を含浸させて形成する。
【００１６】
内側層のプリプレグ５Ａの更に内側に内側補助プリプレグ６を配置し、その内側補助プリプレグとして、円周方向と竿軸線方向とのいずれにも傾斜する状態に引き揃え配置された強化繊維ａ群に対して熱硬化性樹脂を含浸させて形成する。強化繊維ａとしては炭素繊維等が使用され、熱硬化性樹脂としてはエポキシやフェノール樹脂等が使用される。
【００１７】
内側補助プリプレグ６の内周面に、尻栓３を螺着する為の竿体側ネジ部１ａを形成する。この竿体側ネジ部１ａに形成するネジのリード角θは、尻栓３の外向きネジ部３ａのリード角θに等しく形成されることになる。そして、この竿体側ネジ部１ａのリード角θに一致させるように、プリプレグ５Ａの強化繊維ａの引き揃え方向を一致させる。
このような構成によって、竿体側ネジ部１ａが強化繊維ａを切断することはない。
【００１８】
以上のような基本的な竿体の作り方において、本願発明では、次ぎのような工夫が施してある。つまり、メインパターン５をマンドレル４に巻回する際に、ゴム製の弾性シート材９を介在させて巻回する。そうすると、ネジを刻設する前の段階においては、図２に示すように、元竿１の竿尻端部１Ａの肉厚内に弾性シート材９が介在されている状態になっている。
【００１９】
このように、弾性シート材９が介在されている竿尻端部１Ａの内周面に対して、竿体側ネジ部１ａを刻設する。そうすると、竿体側ネジ部１ａを刻設する工具としての切刃の刃先が弾性シート材９にまで達して、弾性シート材９に竿体側ネジ部１ａの一部を形成する。このようにして形成された竿体側ネジ部１ａを詳細に見て見ると、弾性シート材９は竿体の軸線方向の一部に設けられているので、その弾性シート材９が存在しない部分では、竿体側ネジ部１ａは竿体そのものにネジを刻設した部分となっている。これに対して、弾性シート材９が存在する部分では、歯底位置において弾性シート材９が露出している形態となっており、内向きな歯先位置では竿体部分が残されている。このような構成によって、露出している弾性シート材９のネジ部分では摩擦抵抗が大きく、残されている竿体部分では摩擦抵抗は小さい。このように、摩擦抵抗の小さな部分に摩擦抵抗の大きな部分を混在させるネジ構造となっているので、尻栓３の緩み止め機能を高めることができる。
【００２０】
一方、尻栓３は、硬質樹脂材料か金属材料で製作されており、摘まみ部３Ｂより延出された本体取付部３Ａの外周面に尻栓側ネジ部３ａを形成してある。このような構成になる尻栓３の尻栓側ネジ部３ａを元竿１の竿尻端部に形成した竿体側ネジ部１ａに螺着することによって、尻栓３を装着でき、弾性シート材９の摩擦抵抗力によって尻栓３に対する緩み止め機能を発揮させることができる。
上記したように、元竿１の竿尻端部に設けた竿体側ネジ部１ａにおいて弾性シート材９による緩み止め機能が持たされているので、尻栓３と元竿１の竿尻端面との間に介在させていた緩み止め用のＯリングが必要ではない。
【００２１】
〔第２実施形態〕
第１実施形態では、元竿１の竿尻端部の内周面にネジ部１ａを刻設する形態を示したが、この第２実施形態においては、元竿１の竿尻端部１Ａの外周面にネジ部１ａを刻設する形態を示す。
元竿１の竿尻端部１Ａに大径の膨出部１Ｅを形成し、大径膨出部１Ｅの後端を断付き部を介して小径の取付部に形成し、その取付部の外周面にネジ部１ａを形成してある。ネジ部１ａを形成した取付部の肉厚内には、図２に示す場合と同様に、弾性シート材９が介在されており、ネジ部１ａの歯底近くには、弾性シート材９の一部が刃先によってネジ加工されて、ネジの一部として露出し、尻栓３に対して緩み止め機能を発揮するように構成されている。
【００２２】
一方、大径膨出部１Ｅに取り付けられる尻栓３の構成としては、金属製の本体取付部３Ａの軸芯位置に合成樹脂製のカバー体３Ｃを装着して構成されており、前記本体取付部３Ａより大径膨出部１Ｅに向けて筒状部を延出し、その筒状部の内側に尻栓側ネジ部３ａを形成してある。このような構成になる尻栓３を竿体１の大径膨出部１Ｅに取り付けると、弾性シート材９が摩擦保持力を発揮し、尻栓３に対する緩み止め機能が達成される。
【００２３】
〔別実施形態〕
（１）  尻栓３の摘まみ部３Ｂより延出されている本体取付部３Ａのネジ部の一部をゴム等で構成してもよい。この場合には、竿体の竿尻端部のネジ部の一部に緩み止め用のネジ部を形成する必要はない。
（２）  他のネジ部分に比較して摩擦抵抗力の大きなネジ部分を設ける構成としては、プリプレグ製の元竿１に形成した竿体側ネジ部１ａや金属製等の竿尻側ネジ部３ａの一部に、ゴム等を薄くコーティングすることによって、摩擦抵抗力の大きなネジ部分を構成することによってもよい。
（３）  竿体の尻栓３を取り付ける部分に、尻栓３のネジのリード角θと同様の傾斜状態に強化繊維ａを配置した内側補助プリプレグ６を設けたが、特に内側補助プリプレグ６として強化繊維ａが傾斜するものである必要はなく、強化繊維ａの引き揃え方向は軸線方向かまたは円周方向であってもよい。さらに、内側補助プリプレグ６を設ける必要はなく、メインパターン５Ａにネジ部１ａを形成してもよい。
（４）  上記したような尻栓３の取付構造としては、元竿１の尻栓３に適用するだけでなく、中竿等の竿尻端部に着脱自在に装着する栓体に適用してもよい。
（５）  上記実施形態においては、弾性シート材９等の摩擦抵抗の高い材料をネジ部に施すのに、尻栓側ネジ部３ａを尻栓３に施すか又は元竿１の竿尻端部１Ａに竿体側ネジ部１ａを施すかの、一方だけに施す方法を採っているが、尻栓側ネジ部３ａと竿体側ネジ部１ａとの両方に施す形態を採ってもよい。
【図面の簡単な説明】
【００２４】
【図１】（イ）は竿尻端部に弾性シート材を組み込んだ状態を示す縦断側面図、（ロ）はネジ部を形成した状態を示す縦断側面図
【図２】プリプレグ内に弾性シート材を組み込んで巻回し竿体を形成する前の状態を示す斜視図
【図３】竿尻端部の外周面に竿体側ネジ部を形成し、尻栓を取り付ける前の状態を示す縦断側面図
【符号の説明】
【００２５】
１                竿体
１ａ              竿体用ネジ部
３                尻栓
３ａ              尻栓用ネジ部
５                プリプレグシート
９                弾性シート材
【図１】
0004627013.tif 000002
【図２】
0004627013.tif 000003
【図３】
0004627013.tif 000004